(57)【要約】【課題】フィルター装置の交換時において、冷却ファンの配設空間に塵埃が侵入することを防止できるプロジェクターを提供する。【解決手段】プロジェクター１は、吸気口２４１が形成された外装筐体２と、吸気口２４１を介して外装筐体２に空気を導入する冷却ファン４と、吸気口２４１及び冷却ファン４の間に設けられ、吸気口２４１から冷却ファン４に向う空気の流路を形成する空気導入部Ｄと、外装筐体２内外に着脱可能とし、外装筐体２内部に装着されることで、空気導入部Ｄの流路を辿って冷却ファン４に向う空気に含まれる塵埃を捕捉するフィルター装置５と、外装筐体２内外に着脱可能とし、フィルター装置５の直近で空気導入部Ｄの流路を閉塞する閉位置に装着されるシャッター６と、を備える。【選択図】図５
2010191167.tif 000002
【特許請求の範囲】
【請求項１】
吸気口が形成された外装筐体と、前記吸気口を介して前記外装筐体に空気を導入する冷却ファンとを備えたプロジェクターであって、
前記吸気口及び前記冷却ファンの間に設けられ、前記吸気口から前記冷却ファンに向う空気の流路を形成する空気導入部と、
前記外装筐体内外に着脱可能とし、前記外装筐体内部に装着されることで、前記流路を辿って前記冷却ファンに向う空気に含まれる塵埃を捕捉するフィルター装置と、
前記外装筐体内外に着脱可能とし、前記フィルター装置の直近で前記流路を閉塞する閉位置に装着されるシャッターと、
を備えることを特徴とするプロジェクター。
【請求項２】
吸気口が形成された外装筐体と、前記吸気口を介して前記外装筐体に空気を導入する冷却ファンとを備えたプロジェクターであって、
前記吸気口及び前記冷却ファンの間に設けられ、前記吸気口から前記冷却ファンに向う空気の流路を形成する空気導入部と、
前記外装筐体内外に着脱可能とし、前記外装筐体内部に装着されることで、前記流路を辿って前記冷却ファンに向う空気に含まれる塵埃を捕捉するフィルター装置と、
前記外装筐体内部における前記フィルター装置の直近に配設され、前記流路を閉塞する閉位置、または前記流路を開放する開位置に移動するシャッターと、
を備えることを特徴とするプロジェクター。
【請求項３】
請求項２に記載のプロジェクターにおいて、
一部に空気を通過させる第１開口部が形成された板体形状を有し、板面が前記流路を跨ぐように前記空気導入部に固定される固定体を備え、
前記シャッターは、
一部に空気を通過させる第２開口部が形成された板体形状を有し、前記固定体に対向するように配設され、前記第１開口部を閉塞する前記閉位置、または前記第２開口部にて前記第１開口部を開放する前記開位置に移動する
ことを特徴とするプロジェクター。
【請求項４】
請求項３に記載のプロジェクターにおいて、
前記シャッターは、
前記固定体と同一形状を有している
ことを特徴とするプロジェクター。
【請求項５】
請求項１から請求項４のいずれかに記載のプロジェクターにおいて、
前記シャッターは、
前記フィルター装置に対して、前記冷却ファン側に配設される
ことを特徴とするプロジェクター。
【請求項６】
請求項１から請求項５のいずれかに記載のプロジェクターにおいて、
前記シャッターの配設位置に対応した第１当接部、及び前記フィルター装置の配設位置に対応した第２当接部を有する回転部と、
前記外装筐体内部に固定され、所定の回転軸を中心として回転可能に前記回転部を軸支する軸支部とを備え、
前記回転部は、
前記シャッターが前記閉位置に位置付けられる際に前記第１当接部が前記シャッターに押圧されることで回転し、前記第２当接部にて前記外装筐体から取り外す方向に前記フィルター装置を押圧する
ことを特徴とするプロジェクター。
【発明の詳細な説明】
【技術分野】
【０００１】
本発明は、プロジェクターに関する。
【背景技術】
【０００２】
従来、プロジェクターにおいて、外装筐体内部に配設される冷却ファンの駆動により、外装筐体に形成された吸気口を介して外部の空気を導入し、導入した空気により外装筐体内部の各構成部材を冷却する冷却構造が採用されている（例えば、特許文献１参照）。
また、特許文献１に記載の冷却構造では、導入した空気から塵埃を除去するために、フィルター装置が採用されている。
具体的に、フィルター装置は、外装筐体内外に着脱可能とし、外装筐体内部に装着されることで、吸気口から冷却ファンに向う空気の流路を閉塞し、前記流路を辿って冷却ファンに向う空気に含まれる塵埃を捕捉している。
【先行技術文献】
【特許文献】
【０００３】
【特許文献１】特開２００９−３３１７号公報
【発明の概要】
【発明が解決しようとする課題】
【０００４】
ところで、特許文献１に記載の冷却構造では、外装筐体内部において、吸気口とフィルター装置との間の空間（以下、前段空間）には、吸気口が常時、開放された状態であるため、吸気口を介して外部の塵埃等が侵入し、堆積しやすいものである。
このように前段空間に塵埃が堆積した状態で、例えば、フィルター装置を交換するために外装筐体からフィルター装置を脱着した場合には、以下のような現象が生じてしまうという問題がある。
すなわち、フィルター装置の脱着に伴って前段空間の空気が流動する。前段空間の空気が流動すると、前段空間に堆積した塵埃は、流動した空気とともに冷却ファンの配設空間（以下、後段空間）に侵入する。
そして、上記の現象が生じた場合には、既に後段空間に侵入した塵埃は、プロジェクターの使用時において、フィルター装置にて捕捉されることがなく、冷却ファンに空気とともに吸入され、内部の構成部材に送風されることで前記構成部材に付着してしまう。
【０００５】
本発明の目的は、フィルター装置の交換時において、冷却ファンの配設空間に塵埃が侵入することを防止できるプロジェクターを提供することにある。
【課題を解決するための手段】
【０００６】
本発明のプロジェクターは、吸気口が形成された外装筐体と、前記吸気口を介して前記外装筐体に空気を導入する冷却ファンとを備えたプロジェクターであって、前記吸気口及び前記冷却ファンの間に設けられ、前記吸気口から前記冷却ファンに向う空気の流路を形成する空気導入部と、前記外装筐体内外に着脱可能とし、前記外装筐体内部に装着されることで、前記流路を辿って前記冷却ファンに向う空気に含まれる塵埃を捕捉するフィルター装置と、前記外装筐体内外に着脱可能とし、前記フィルター装置の直近で前記流路を閉塞する閉位置に装着されるシャッターと、を備えることを特徴とする。
ここで、シャッターの装着位置としては、フィルター装置の直近で空気導入部の流路を閉塞する位置であればよく、例えば、フィルター装置に対して吸気口側の位置や、フィルター装置に対して冷却ファン側の位置が例示できる。
【０００７】
本発明では、プロジェクターは、上述したシャッターを備えるので、フィルター装置の直近で空気導入部の流路を閉塞する閉位置にシャッターを装着することで、前段空間（外装筐体内部における吸気口とフィルター装置との間の空間）と後段空間（冷却ファンの配設空間）とを区画することができる。このため、フィルター装置を交換する前に予めシャッターを装着しておけば、フィルター装置の脱着に伴って前段空間の空気が流動した場合であっても、シャッターにより、前段空間に堆積した塵埃が後段空間に侵入することを防止できる。
【０００８】
ところで、空気導入部の流路を閉塞する構造としては、以下に示すように、シャッターの他、固定体を採用し、シャッター及び固定体の２体で閉塞する構造が考えられる。
すなわち、空気導入部内部に固定体を固定し、固定体にて空気導入部の流路の一部を閉塞する。そして、シャッターを閉位置に位置付けることで、シャッターにて前記流路における固定体にて閉塞されていない部分を閉塞する。すなわち、固定体及びシャッターの２体で前記流路を閉塞する。
本発明では、空気導入部の流路をシャッターの１体で閉塞するため、上述した構造と比較して、部品点数を削減でき、構造の簡素化が図れる。また、上述した構造と比較して、シャッターの装着前には空気導入部の流路全体が開放されることとなる。このため、プロジェクターの使用時においては、吸気口を介して導入された空気を冷却ファンに良好に吸入させることができる。すなわち、必要以上に冷却ファンの回転数を増加させることがないため、冷却ファンの駆動時の騒音を低減させてプロジェクターの静粛性を確保できるとともに、省電力化が図れる。
【０００９】
本発明のプロジェクターは、吸気口が形成された外装筐体と、前記吸気口を介して前記外装筐体に空気を導入する冷却ファンとを備えたプロジェクターであって、前記吸気口及び前記冷却ファンの間に設けられ、前記吸気口から前記冷却ファンに向う空気の流路を形成する空気導入部と、前記外装筐体内外に着脱可能とし、前記外装筐体内部に装着されることで、前記流路を辿って前記冷却ファンに向う空気に含まれる塵埃を捕捉するフィルター装置と、前記外装筐体内部における前記フィルター装置の直近に配設され、前記流路を閉塞する閉位置、または前記流路を開放する開位置に移動するシャッターと、を備えることを特徴とする。
ここで、シャッターの配設位置としては、フィルター装置の直近であればよく、例えば、フィルター装置に対して吸気口側の位置や、フィルター装置に対して冷却ファン側の位置が例示できる。
【００１０】
本発明では、プロジェクターは、上述したシャッターを備えるので、フィルター装置を交換する前に予め、フィルター装置の直近で空気導入部の流路を閉塞する閉位置にシャッターを移動しておけば、上記同様に、フィルター装置の脱着に伴って前段空間の空気が流動した場合であっても、シャッターにより、前段空間に堆積した塵埃が後段空間に侵入することを防止できる。
また、シャッターは、外装筐体内部に設けられている。このことにより、上述したシャッターを外装筐体内外に着脱可能に構成した場合と比較して、シャッターを紛失してしまうことがなく、上述したフィルター装置の交換時に塵埃が後段空間に侵入することを防止できるという効果を好適に図れる。
【００１１】
本発明のプロジェクターでは、一部に空気を通過させる第１開口部が形成された板体形状を有し、板面が前記流路を跨ぐように前記空気導入部に固定される固定体を備え、前記シャッターは、一部に空気を通過させる第２開口部が形成された板体形状を有し、前記固定体に対向するように配設され、前記第１開口部を閉塞する前記閉位置、または前記第２開口部にて前記第１開口部を開放する前記開位置に移動することが好ましい。
本発明では、上述したように固定体及びシャッターの２体で空気導入部の流路を閉塞する。このことにより、例えば固定体を採用せずに外装筐体内部において閉位置または開位置に移動可能に構成されたシャッターの１体のみで空気導入部の流路を閉塞する構造と比較して、シャッターにおける閉位置及び開位置間の移動の長さを短縮できる。すなわち、シャッターを必要以上に長く移動させることがなく、シャッターの移動時にシャッターと機械的に干渉しないように外装筐体内部の各構成部材のレイアウトを決める必要がなく、外装筐体内部の設計の自由度を向上できる。
【００１２】
本発明のプロジェクターでは、前記シャッターは、前記固定体と同一形状を有していることが好ましい。
本発明では、シャッターが固定体と同一形状を有しているため、同一の製法でシャッター及び固定体を製造でき、シャッター及び固定体の製造を容易に実施できる。
【００１３】
本発明のプロジェクターでは、前記シャッターは、前記フィルター装置に対して、前記流路の後段側に配設されることが好ましい。
ところで、吸気口を介して侵入した塵埃は、前段空間の他、空気導入部とフィルター装置との接続箇所にも堆積しやすいものである。このため、例えば、フィルター装置の直近でフィルター装置に対して吸気口側に配設した場合には、以下のような現象が生じる恐れがある。
すなわち、シャッターにて流路を閉塞した後、フィルター装置を脱着する際、前段空間に堆積した塵埃は、シャッターにより、後段空間に侵入することはない。しかしながら、空気導入部とフィルター装置との接続箇所に堆積した塵埃は、シャッターがフィルター装置に対して吸気口側に配設されているため、シャッターにて遮蔽されることなく、後段空間に侵入してしまう。
本発明では、シャッターがフィルター装置に対して冷却ファン側に配設されているので、シャッターにて流路を閉塞すれば、フィルター装置を脱着する際、前段空間に堆積した塵埃のみならず、空気導入部とフィルター装置との接続箇所に堆積した塵埃も後段空間に侵入することを防止できる。
【００１４】
本発明のプロジェクターでは、前記シャッターの配設位置に対応した第１当接部、及び前記フィルター装置の配設位置に対応した第２当接部を有する回転部と、前記外装筐体内部に固定され所定の回転軸を中心として回転可能に前記回転部を軸支する軸支部とを備え、前記回転部は、前記シャッターが前記閉位置に位置付けられる際に前記第１当接部が前記シャッターに押圧されることで回転し、前記第２当接部にて前記外装筐体から取り外す方向に前記フィルター装置を押圧することが好ましい。
本発明では、プロジェクターは、上述した第１当接部及び第２当接部を有する回転部と、軸支部とを備える。このことにより、利用者は、シャッターを閉位置に位置付けるだけで、回転部を回転させてフィルター装置を外装筐体から取り外すことができる。言い換えれば、シャッターを閉位置に確実に位置付けた場合に限り、フィルター装置を外装筐体から取り外すことができる。このため、上述したフィルター装置の交換時において後段空間に塵埃が侵入することを防止できるという効果をさらに好適に図れる。
【図面の簡単な説明】
【００１５】
【図１】第１実施形態におけるプロジェクターの外観を示す斜視図。
【図２】前記実施形態におけるプロジェクターの背面左側を拡大した斜視図。
【図３】前記実施形態におけるプロジェクターの内部構成を説明するための図。
【図４】前記実施形態におけるプロジェクターの内部構成を説明するための図。
【図５】前記実施形態における回転体の構成を示す図。図５（Ａ）はシャッターが後段側ダクトに装着される直前の断面図、図５（Ｂ）はシャッターが後段側ダクトに装着された際の断面図。
【図６】第２実施形態におけるシャッター及び固定体の構成を説明するための図。図６（Ａ）はシャッターが閉位置に位置付けられた状態を示す図、図６（Ｂ）はシャッターが開位置に位置付けられた状態を示す図。
【図７】前記実施形態におけるシャッター及び固定体の構成を説明するための図。図７（Ａ）はシャッターが閉位置に位置付けられた状態を示す図、図７（Ｂ）はシャッターが開位置に位置付けられた状態を示す図。
【発明を実施するための形態】
【００１６】
[第１実施形態]
以下、本発明の第１実施形態を図面に基づいて説明する。
〔プロジェクターの外観構成〕
図１は、第１実施形態におけるプロジェクター１の外観を示す斜視図である。具体的に、図１は、プロジェクター１を背面上側から見た斜視図である。
なお、以下では、プロジェクター１において投射側（投射レンズ３が配置された側）を前面とし、その反対側を背面とする。また、以下で記載する「上」、「下」は、図１における図面視において、上下に相当するものである。さらに、以下で記載する「左」、「右」は、背面側から見た場合の左右を意味するものである。
プロジェクター１は、画像情報（画像信号）に応じた画像を形成してスクリーン（図示略）上に投射する。このプロジェクター１は、図１に示すように、外装を構成する外装筐体２を備える。
外装筐体２は、鉛直方向に交差する天面部２１及び底面部２２と、前面部２３と、背面部２４と、左側面部２５と、右側面部２６とを備え、略直方体形状を有する。そして、外装筐体２は、光源装置、前記光源装置から射出された光束を画像情報に応じて変調する液晶パネル等の光変調装置、及び前記光変調装置にて変調された光束を投射する投射レンズ３（図１）等を有する装置本体を収納する。
なお、前記装置本体については、種々の一般的なプロジェクターで利用されているため、具体的な図示を省略する。
【００１７】
この外装筐体２において、背面部２４の左側には、図１に示すように、鉛直軸に沿って延びる複数の開口部２４１Ａが左右方向に並設し、外部の空気を導入するための吸気口２４１が形成されている。
そして、外装筐体２内部には、吸気口２４１に近接して、冷却ファン４（図３参照）、フィルター装置５（図２、図３参照）、シャッター６（図２、図３参照）、及び回転体７（図３参照）等が配設される。
なお、冷却ファン４、フィルター装置５、シャッター６、及び回転体７の機能及び構成については、後述する。
【００１８】
図２は、プロジェクター１の背面左側を拡大した斜視図である。具体的に、図２は、外装筐体２から交換用蓋体８を取り外し、シャッター６を外装筐体２内部に装着する直前の状態を示す図である。
また、外装筐体２において、左側面部２５の背面側には、図２に示すように、内部に向けて窪んだ平面視矩形状の凹部２５１が形成されている。
この凹部２５１の底部分には、フィルター装置５及びシャッター６を外装筐体２に対して脱着するための交換用開口部２５２が形成されている。
また、凹部２５１の底部分には、鉛直軸に沿って延び、交換用開口部２５２を２つの領域に区画する区画部２５３が形成されている。
【００１９】
そして、フィルター装置５は、交換用開口部２５２における区画部２５３にて区画された２つの領域のうち背面側の領域を介して外装筐体２内外に着脱される。また、シャッター６は、前面側の領域を介して外装筐体２内外に着脱される。
また、外装筐体２において、凹部２５１には、図１に示すように、交換用開口部２５２を閉塞する交換用蓋体８が着脱可能に取り付けられている。
この交換用蓋体８は、凹部２５１に対応した形状を有し、凹部２５１に嵌合して交換用開口部２５２を閉塞する。
【００２０】
〔プロジェクターの内部構成〕
図３及び図４は、プロジェクター１の内部構成を説明するための図である。具体的に、図３は、天面部２１、背面部２４（突設部２４２）、左側面部２５、及びダクト部材２２１の一部を破断することで、外装筐体２内部における吸気口２４１に近接して配設される部材４〜７を示している。また、図４は、天面部２１、背面部２４（突設部２４２）、左側面部２５の一部を破断するとともに、フィルター装置５及びシャッター６を取り外した状態を示している。
先ず、各部材４〜７を説明する前に、背面部２４の裏面に形成される突設部２４２、及び底面部２２に取り付けられるダクト部材２２１について説明する。
突設部２４２は、図４に示すように、背面部２４の裏面から突出する断面略Ｕ字形状を有する。そして、突設部２４２は、吸気口２４１を囲むように底面部２２に接続し、底面部２２とで吸気口２４１を介して導入された空気を前面側に導く前段側ダクトＤ１（図４）を構成する。
【００２１】
ダクト部材２２１は、底面部２２側が開口した容器形状を有し、開口部分が底面部２２にて閉塞されるように底面部２２に取り付けられる。
また、ダクト部材２２１は、背面側の端面が省略され、底面部２２に取り付けられた際に背面側の端部が突設部２４２の前面側の端部に接続する。
さらに、ダクト部材２２１において、前面側の端面には、図３に示すように、冷却ファン４の吐出口４２に対応した形状を有する開口部２２１Ａが形成されている。
【００２２】
ここで、冷却ファン４は、図３または図４に示すように、シロッコファンで構成され、空気を吸入する吸入口４１（図３）が天面部２１側に向き、空気を吐出する吐出口４２（図５参照）が前面部２３側に向き開口部２２１Ａに接続するように、底面部２２に取り付けられている。
そして、冷却ファン４は、後述する空気導入部Ｄを介して、吸気口２４１から外部の空気を吸入し、吐出口４２から吐出することで、例えば、前記装置本体を構成する光源装置等の光学部品を冷却する。
すなわち、ダクト部材２２１は、底面部２２とで、突設部２４２にて前面側に導かれた空気を冷却ファン４の吸入口４１に導く後段側ダクトＤ２（図３、図４）を構成する。
そして、前段側ダクトＤ１及び後段側ダクトＤ２は、吸気口２４１を介して導入された空気を冷却ファン４の吸入口４１に導く空気導入部Ｄ（図４）を構成する。
【００２３】
また、ダクト部材２２１において、左側の端面には、交換用開口部２５２に対応して、第２の交換用開口部２２１Ｂ（図５参照）が形成されている。
さらに、ダクト部材２２１の左側の端面には、区画部２５３に対応して、第２の区画部２２１Ｃ（図５参照）が形成されている。
また、ダクト部材２２１において、右側の端面には、図４に示すように、前面側挿通孔２２１Ｄ及び背面側挿通孔２２１Ｅが前後方向に並設するように形成されている。
前面側挿通孔２２１Ｄは、シャッター６の装着位置に対応する位置に設けられている（図５参照）。
一方、背面側挿通孔２２１Ｅは、フィルター装置５の装着位置に対応する位置に設けられている（図５参照）。
【００２４】
フィルター装置５は、外装筐体２内外に着脱可能に設けられ、外装筐体２内部に装着されることで、空気導入部Ｄを辿って流通する空気の流路を閉塞し、前記流路を辿って冷却ファン４に向う空気に含まれる塵埃を捕捉する。このフィルター装置５は、図３に示すように、フィルター５１と、支持枠５２とを備える。
フィルター５１は、塵埃を捕捉する部分であり、本実施形態では、静電フィルターで構成されている。
より具体的に、フィルター５１は、静電気を帯電させた高分子繊維をプリーツ加工することにより、表面積を拡大させて塵埃の捕集効率を向上させている。
支持枠５２は、矩形枠形状を有し、枠状内部にてフィルター５１を支持する。
【００２５】
そして、フィルター装置５は、各交換用開口部２５２，２２１Ｂにおける各区画部２５３，２２１Ｃにて区画された背面側の領域を介して、後段側ダクトＤ２内部に挿入される（図５参照）。また、フィルター装置５は、後段側ダクトＤ２内部に形成されたレール（図示略）によってフィルター５１にて空気導入部Ｄの流路を閉塞する位置まで案内され、後段側ダクトＤ２内部に形成された係合部（図示略）に支持枠５２が係合することで、後段側ダクトＤ２内部に装着される。
【００２６】
シャッター６は、外装筐体２内外に着脱可能に設けられ、空気導入部Ｄの流路を閉塞する板体形状を有する。そして、シャッター６は、各交換用開口部２５２，２２１Ｂにおける各区画部２５３，２２１Ｃにて区画された前面側の領域を介して、後段側ダクトＤ２内部に挿入される（図５参照）。また、シャッター６は、後段側ダクトＤ２内部に形成されたレール（図示略）によって、空気導入部Ｄの流路を閉塞する閉位置まで案内され、後段側ダクトＤ２内部に形成された係合部（図示略）に係合することで、後段側ダクトＤ２内部に装着される。
すなわち、シャッター６は、後段側ダクトＤ２内部に装着された状態で、フィルター装置５の直近（冷却ファン４側）に配設され、空気導入部Ｄの流路を閉塞する。
【００２７】
図５は、回転体７の構成及び動作を示す図である。具体的に、図５（Ａ）はシャッター６が後段側ダクトＤ２に装着される直前の回転体７の状態を示す断面図であり、図５（Ｂ）はシャッター６が後段側ダクトＤ２に装着された際の回転体７の状態を示す断面図である。
回転体７は、後段側ダクトＤ２へのシャッター６の装着に伴い、後段側ダクトＤ２からフィルター装置５を取り外す。この回転体７は、図５に示すように、軸支部７１と、回転部７２とを備える。
【００２８】
軸支部７１は、後段側ダクトＤ２の右側に位置し、底面部２２に対して固定されている。この軸支部７１は、鉛直軸に沿って天面部２１側に突出し、回転部７２を回転可能に軸支する回転軸７１１が形成されている。
回転部７２は、回転部本体７２１と、第１当接部７２２と、第２当接部７２３とを備える。
回転部本体７２１は、略棒状部材で構成され、中心部分に回転軸７１１が挿通され、回転軸７１１を中心として水平面内で回転する。
第１当接部７２２は、略棒状部材で構成され、前面側挿通孔２２１Ｄに挿通する。そして、第１当接部７２２の一端は、回転部本体７２１の一端に対して、水平面内で回動可能に連結する。
第２当接部７２３は、第１当接部７２２と同様の形状を有し、背面側挿通孔２２１Ｅに挿通する。そして、第２当接部７２３の一端は、回転部本体７２１の他端に対して、水平面内で回動可能に連結する。
【００２９】
〔フィルター装置の交換〕
次に、上述したフィルター装置５の交換方法について図５を参照して説明する。
先ず、利用者は、各交換用開口部２５２，２２１Ｂにおける前面側の領域を介して、シャッター６を後段側ダクトＤ２内部に挿入し、後段側ダクトＤ２内部の装着位置（後段側ダクトＤ２内部の係合部（図示略）に係合する位置（閉位置））に向けてシャッター６を右側に押し込む。
このように押し込まれると、シャッター６は、第１当接部７２２の他端に当接し（図５（Ａ））、第１当接部７２２を押圧して回転部７２を回転させながら、後段側ダクトＤ２内部の装着位置に位置付けられる（図５（Ｂ））。
【００３０】
ここで、回転体７は、回転部７２の上記回転により、フィルター装置５に当接した第２当接部７２３（図５（Ａ））がフィルター装置５を左側に押圧し、フィルター装置５と後段側ダクトＤ２内部に形成された係合部（図示略）との係合を解除し、フィルター装置５を取り外す方向（左側）に移動させる（図５（Ｂ））。
そして、利用者は、各交換用開口部２５２，２２１Ｂにおける背面側の領域を介して、外装筐体２から突出したフィルター装置５を把持し、フィルター装置５を外装筐体２外部に引き出し、新たなフィルター装置５に交換する。
【００３１】
なお、新たなフィルター装置５を後段側ダクトＤ２内部に装着する際の回転体７の動作は、上記の動作と逆に動作するものである。
すなわち、新たなフィルター装置５が後段側ダクトＤ２内部に装着されることで、シャッター６は、回転体７の動作により、第１当接部７２２（図５（Ｂ））にて左側に押圧され、各交換用開口部２５２，２２１Ｂにおける前面側の領域を介して、外装筐体２から突出し利用者により把持され引き出される位置に移動する。
【００３２】
上述した第１実施形態によれば、以下の効果がある。
本実施形態では、プロジェクター１は、シャッター６を備えるので、フィルター装置５の直近で空気導入部Ｄの流路を閉塞する閉位置にシャッター６を装着することで、空気導入部Ｄ内部において、吸気口２４１とフィルター装置５との間の空間Ａｒ１（図５、以下、前段空間）と、冷却ファン４の配設空間Ａｒ２（図５、以下、後段空間）とを区画することができる。このため、フィルター装置５を交換する前に予めシャッター６を装着しておけば、フィルター装置５の脱着に伴って前段空間Ａｒ１の空気が流動した場合であっても、シャッター６により、前段空間Ａｒ１に堆積した塵埃が後段空間Ａｒ２に侵入することを防止できる。
【００３３】
また、空気導入部Ｄの流路をシャッター６の１体で閉塞するため、例えば複数の部材を用いて閉塞する構造と比較して、部品点数を削減でき、構造の簡素化が図れる。
さらに、空気導入部Ｄの流路をシャッター６の１体で閉塞するため、シャッター６の装着前には空気導入部Ｄの流路全体が開放されることとなる。このため、プロジェクター１の使用時においては、吸気口２４１を介して導入された空気を冷却ファン４に良好に吸入させることができる。すなわち、必要以上に冷却ファン４の回転数を増加させることがないため、冷却ファン４の駆動時の騒音を低減させてプロジェクター１の静粛性を確保できるとともに、省電力化が図れる。
【００３４】
また、シャッター６は、フィルター装置５の直近（冷却ファン４側）に装着される。このことにより、シャッター６にて空気導入部Ｄの流路を閉塞すれば、フィルター装置５を脱着する際、前段空間Ａｒ１に堆積した塵埃のみならず、空気導入部Ｄとフィルター装置５との接続箇所に堆積した塵埃も後段空間Ａｒ２に侵入することを防止できる。
さらに、プロジェクター１は、第１当接部７２２及び第２当接部７２３を有する回転部７２と、軸支部７１とを備える。このことにより、利用者は、シャッター６を閉位置に位置付けるだけで、回転部７２を回転させてフィルター装置５を外装筐体２から取り外すことができる。言い換えれば、シャッター６を閉位置に確実に位置付けた場合に限り、フィルター装置５を外装筐体２から取り外すことができる。このため、上述したフィルター装置５の交換時において後段空間Ａｒ２に塵埃が侵入することを防止できるという効果をさらに好適に図れる。
【００３５】
[第２実施形態]
次に、本発明の第２実施形態を図面に基づいて説明する。
以下の説明では、前記第１実施形態と同様の構造及び同一部材には同一符号を付して、その詳細な説明は省略または簡略化する。
図６及び図７は、第２実施形態におけるシャッター６及び固定体１０の構成を説明するための図である。具体的に、図６は、天面部２１、背面部２４（突設部２４２）、及び左側面部２５の一部を破断するとともに、フィルター装置５を取り外した状態を示している。図７は、図５に対応した断面図である。また、図６（Ａ）及び図７（Ａ）はシャッター６が閉位置に位置付けられた状態を示し、図６（Ｂ）及び図７（Ｂ）はシャッター６が開位置に位置付けられた状態を示している。
前記第１実施形態では、シャッター６は、外装筐体２内外に着脱可能に設けられているとともに、当該シャッター６単体で空気導入部Ｄの流路を閉塞していた。
これに対して、第２実施形態では、シャッター６は、空気導入部Ｄ内部に予め設けられている。また、プロジェクター１は、固定体１０を備え、シャッター６及び固定体１０の双方により、空気導入部Ｄの流路を閉塞する。
その他の構成は、前記第１実施形態と同様のものである。
【００３６】
固定体１０は、図６または図７に示すように、後段側ダクトＤ２の内面形状と略同一の平面視矩形形状を有する板体で構成され、前後方向の位置が第２の区画部２２１Ｃ（図７）と略同一位置となり、空気導入部Ｄの流路を閉塞するように、後段側ダクトＤ２内部に固定されている。
この固定体１０には、吸気口２４１と同様に、鉛直軸に沿って延びる複数の第１開口部１１が左右方向に並設するように形成されている。
すなわち、吸気口２４１を介して導入された空気は、空気導入部Ｄ内部において、複数の第１開口部１１を介して、冷却ファン４の吸入口４１に向けて流通することとなる。
【００３７】
第２実施形態におけるシャッター６は、固定体１０の前面側に配設され、後段側ダクトＤ２内部に形成されたレール（図示略）にて案内されて後述する閉位置または開位置に移動する。
このシャッター６は、図７に示すように、固定体１０と同一形状を有し、鉛直軸に沿って延びる複数の第２開口部６１が左右に並設するように形成されている。
【００３８】
次に、本実施形態におけるフィルター装置５の交換方法について図６及び図７を参照して説明する。
先ず、フィルター装置５が装着された状態では、シャッター６は、図６（Ａ）または図７（Ａ）に示すように、各第２開口部６１以外の部位にて固定体１０の各第１開口部１１を閉塞する閉位置に位置付けられている。また、この状態では、シャッター６は、後段側ダクトＤ２内部に形成された第１の係合部（図示略）に係合している。
なお、上記の状態では、シャッター６の左側の端部は、図７（Ａ）に示すように、第２の交換用開口部２２１Ｂを介して後段側ダクトＤ２外部に突出し、交換用開口部２５２内に位置付けられている。
【００３９】
そして、上記の状態において、利用者は、例えば、ドライバー等の先端が尖った棒状部材を交換用開口部２５２の前面側の領域に挿通し、シャッター６を右側に押し込む。
このように押し込まれると、シャッター６は、前記第１の係合部（図示略）との係合が解除され、開位置（後段側ダクトＤ２内部の第２の係合部（図示略）に係合する位置）に向けて右側に移動する。
そして、シャッター６は、上記の移動時に、第１当接部７２２の他端に当接し（図７（Ａ））、第１当接部７２２を押圧して回転部７２を回転させながら、開位置に位置付けられる（図６（Ｂ）、図７（Ｂ））。
なお、上記の状態（図６（Ｂ）、図７（Ｂ））では、シャッター６は、各第２開口部６１が固定体１０の各第１開口部１１に合致し、各第２開口部６１にて各第１開口部１１を開放する。
【００４０】
ここで、回転体７は、前記第１実施形態で説明したように、回転部７２の回転により、フィルター装置５を取り外す方向（左側）に移動させる（図７（Ｂ））。
そして、利用者は、フィルター装置５を把持し、フィルター装置５を外装筐体２外部に引き出し、新たなフィルター装置５に交換する。
なお、新たなフィルター装置５を後段側ダクトＤ２内部に装着する際の回転体７の動作は、上記の動作と逆に動作するものである。
【００４１】
上述した第２実施形態によれば、前記第１実施形態と同様の効果の他、以下の効果がある。
本実施形態では、シャッター６は、空気導入部Ｄ内部に設けられている。このことにより、前記第１実施形態のようにシャッター６を外装筐体２内外に着脱可能に構成した構成と比較して、シャッター６を紛失してしまうこともなく、フィルター装置５の交換時に塵埃が後段空間Ａｒ２（図７）に侵入することを防止できるという効果を好適に図れる。
【００４２】
また、本実施形態では、固定体１０及びシャッター６の２体で空気導入部Ｄの流路を閉塞する。このことにより、例えば固定体１０を採用せずに閉位置または開位置に移動可能に構成されたシャッター６の１体のみで空気導入部Ｄの流路を閉塞する構造とした場合と比較して、シャッター６における閉位置及び開位置間の移動の長さを短縮できる。すなわち、シャッター６を必要以上に長く移動させることがなく、シャッター６の移動時にシャッター６と機械的に干渉しないように外装筐体内部の各構成部材のレイアウトを決める必要がなく、外装筐体２内部の設計の自由度を向上できる。
【００４３】
さらに、シャッター６が固定体１０と同一形状を有しているため、同一の製法でシャッター６及び固定体１０を製造でき、シャッター６及び固定体１０の製造を容易に実施できる。
【００４４】
なお、本発明は前述の実施形態に限定されるものではなく、本発明の目的を達成できる範囲での変形、改良等は本発明に含まれるものである。
前記各実施形態では、シャッター６をフィルター装置５に対して冷却ファン４側に配設していたが、これに限らず、フィルター装置５の直近であれば、フィルター装置５に対して吸気口２４１側に配設しても構わない。例えば、フィルター装置５と冷却ファン４との間にシャッター６を配設するスペースがない場合には、フィルター装置５に対して吸気口２４１側にシャッター６を配設する。
前記各実施形態では、フィルター装置５を構成するフィルター５１として、静電フィルターを採用していたが、これに限らず、空気を通過し、塵埃を捕捉するフィルターであれば、その他のフィルターを採用しても構わない。
【００４５】
前記各実施形態では、吸気口２４１が背面部２４に形成されていたが、これに限らず、外装筐体２におけるその他の部位、例えば、天面部２１や底面部２２等に形成しても構わない。
前記各実施形態では、シャッター６の閉位置への移動に連動して、フィルター装置５を取り外す構造として回転体７を採用していたが、該構造は、回転体７に限らず、その他の構造を採用しても構わない。
【００４６】
前記第２実施形態では、シャッター６及び固定体１０を同一形状で構成していたが、これに限らず、異なる形状で構成しても構わない。
前記第２実施形態では、シャッター６を直線的にスライド移動させる構成としていたが、これに限らず、例えば、空気導入部Ｄの流路に沿う回転軸を中心としてシャッター６を回動可能に構成し、回動させることで閉位置または開位置に移動させる構成としても構わない。
前記第２実施形態では、シャッター６は、固定体１０の前面側に配設されていたが、これに限らず、固定体１０の背面側に配設しても構わない。
前記実施形態では、フロント投射型のプロジェクターの例のみを挙げたが、本発明は、スクリーンを備え、該スクリーンの裏面側から投射を行うリアタイプのプロジェクターにも適用可能である。
【産業上の利用可能性】
【００４７】
本発明のプロジェクターは、フィルター装置の交換時において、冷却ファンの配設空間に塵埃が侵入することを防止できるため、プレゼンテーションやホームシアターに用いられるプロジェクターとして利用できる。
【符号の説明】
【００４８】
１・・・プロジェクター、２・・・外装筐体、４・・・冷却ファン、５・・・フィルター装置、６・・・シャッター、１０・・・固定体、１１・・・第１開口部、６１・・・第２開口部、７１・・・軸支部、７２・・・回転部、２４１・・・吸気口、７１１・・・回転軸、７２２・・・第１当接部、７２３・・・第２当接部、Ｄ・・・空気導入部。
【図１】
2010191167.tif 000003
【図２】
2010191167.tif 000004
【図３】
2010191167.tif 000005
【図４】
2010191167.tif 000006
【図５】
2010191167.tif 000007
【図６】
2010191167.tif 000008
【図７】
2010191167.tif 000009